(57)【特許請求の範囲】
【請求項１】
複数の負荷に電力を供給するとともに、自身の稼動状態を示す稼動情報を出力する直流電源と、
前記負荷の各々と前記直流電源との間に設けられ、前記負荷と前記直流電源との間を接続状態または非接続状態に切り換えるとともに、接続状態において前記負荷に供給される電流及び電圧として電力情報を検出するスイッチ部と、
前記電力情報により前記負荷毎の負荷容量を算出し、前記スイッチ部により前記直流電源に接続されている前記負荷全ての負荷容量を加算した合計負荷容量を算出し、当該合計負荷容量が前記稼動情報から求められる前記直流電源の出力する電力の出力容量を超えたか否かを監視する電源監視部と、
前記電源監視部の監視結果により、前記合計負荷容量が前記出力容量を超えている場合、予め設定された遮断順序に従い、前記負荷の前記スイッチ部を非接続状態とするスイッチ制御部と
を備え、
遮断時間の短い負荷の遮断処理を行う優先順位が高く、前記遮断順序が、前記優先順位の順番に従って設定されている
ことを特徴とする給電システム。
【請求項２】
前記電源監視部が、
前記スイッチ部が前記遮断順序に従い非接続状態とされる毎に、前記直流電源に接続されている前記負荷全ての負荷容量を加算して合計負荷容量を算出し、当該合計負荷容量が前記稼動情報から得られる前記出力容量を超えているか否かを監視し、
前記スイッチ制御部が、
前記監視の結果により合計負荷容量が前記直流電源の出力容量を超えていないことを示す場合、前記遮断順序における以降の前記スイッチ部を非接続状態とする処理を終了する
ことを特徴とする請求項１に記載の給電システム。
【請求項３】
前記遮断順序が前記スイッチ部を非接続状態とする順番を示す遮断優先順位であり、
前記スイッチ部を識別するスイッチ識別情報と、当該スイッチ識別情報の示す前記スイッチ部の前記遮断優先順位とを対応付けた遮断テーブルが記憶された記憶部を有し、
前記スイッチ制御部が、前記合計負荷容量が前記出力容量を超えていることを示す監視結果を前記電源監視部から得ると、前記遮断優先順位に従い前記スイッチ識別情報を読み込み、当該スイッチ識別情報の示す前記スイッチ部を非接続状態とすることを特徴とする請求項１または請求項２に記載の給電システム。
【請求項４】
前記遮断順序が前記電源監視部から前記合計負荷容量が前記出力容量を超えていることを示す監視結果が入力されてからの経過時間である遮断時間で定められており、
前記スイッチ部を識別するスイッチ識別情報と、当該スイッチ識別情報の前記遮断時間とが対応付けられた遮断テーブルが記憶された記憶部と、
前記電源監視部が前記合計負荷容量が前記出力容量を超えたことを判定してからの経過時間をカウントするタイマーと
を有し、
前記スイッチ制御部が、前記合計負荷容量が前記出力容量を超えていることを示す監視結果を前記電源監視部から得ると、前記遮断テーブルから前記経過時間以下の前記遮断時間を検出し、当該遮断時間に対応して記憶されている前記スイッチ識別情報の示す前記スイッチ部を非接続状態とすることを特徴とする請求項１または請求項２に記載の給電システム。
【請求項５】
前記遮断順序が前記直流電源の出力する電圧値の大きさとして設定されており、前記スイッチ部を切断状態とする当該電圧値の大きさを遮断電圧とし、
前記スイッチ部を識別するスイッチ識別情報と、当該スイッチ部の前記遮断電圧とを対応付けた遮断テーブルが記憶された記憶部を有し、
前記スイッチ制御部が、前記合計負荷容量が前記出力容量を超えていることを示す監視結果を前記電源監視部から得ると、前記遮断テーブルから、前記直流電源の出力する前記電圧を超える前記遮断電圧を検出し、当該遮断電圧に対応して記憶されているスイッチ識別情報の示す前記スイッチ部を非接続状態とすることを特徴とする請求項１に記載の給電システム。
【請求項６】
前記直流電源が複数の整流器ユニットから構成されており、
前記電源監視部が、前記稼動情報に含まれる前記整流器ユニットの稼動している稼働数に対し、前記整流器ユニットの単位出力電力を乗算して、前記直流電源の前記出力容量を求めることを特徴とする請求項１から請求項５のいずれか一項に記載の給電システム。
【請求項７】
直流電源から複数の負荷に対して直流電力を供給する給電システムを制御する負荷遮断制御装置であり、
前記負荷の各々と前記直流電源との間に設けられ、前記負荷と前記直流電源との間を接続状態または非接続状態に切り換えるとともに、接続状態において前記負荷に供給される電流及び電圧として電力情報を検出するスイッチ部と、
前記電力情報により前記負荷毎の負荷容量を算出し、前記スイッチ部により前記直流電源に接続されている前記負荷全ての負荷容量を加算した合計負荷容量を算出し、前記直流電源が出力する自身の稼動状態を示す稼動情報を読み込み、当該合計負荷容量が前記稼動情報から求められる前記直流電源の出力する電力の出力容量を超えたか否かを監視する電源監視部と、
前記電源監視部の監視結果により、前記合計負荷容量が前記直流電源の出力容量を超えている場合、予め設定された遮断順序に従い、前記負荷の前記スイッチ部を非接続状態とするスイッチ制御部と
を備え、
遮断時間の短い負荷の遮断処理を行う優先順位が高く、前記遮断順序が、前記優先順位の順番に従って設定されている
ことを特徴とする負荷遮断制御装置。
【発明の詳細な説明】
【技術分野】
【０００１】
本発明は、負荷に対して電力を供給する給電システム及び負荷遮断制御装置に関する。
【背景技術】
【０００２】
従来から、給電システムで使用される直流電源などの電源装置は、電力を供給する負荷の最大負荷容量分の出力容量を出力可能に構成されている（例えば、特許文献１）。
このような図１２に示す直流電力を供給する給電システムの構成の場合、商用電力の停電や直流電源ＲＦの故障が発生すると、直流電源ＲＦから負荷Ｌ１、Ｌ２及びＬ３に対して供給する直流電力の電力量が低下する。
【０００３】
そのため、図１２に示すように、給電システムの信頼性を向上させるため、商用電力の停電や直流電源ＲＦの故障が発生し、直流電源ＲＦの出力する電力の容量が低下しても、負荷Ｌ１、Ｌ２及びＬ３が突然に停止させられないように、負荷Ｌ１、Ｌ２及びＬ３に対して電力を供給するバッテリＢＡＴなどが設けられている。
特に、負荷Ｌ１、Ｌ２及びＬ３が情報通信（ＩＣＴ）装置の場合、より給電システムの信頼性を向上させる必要性があるため、バッテリＢＡＴの容量を大きくする必要がある。
また、給電システムの信頼性を向上させるため、負荷Ｌ１、Ｌ２及びＬ３の各々の短絡及び過負荷保護を行うヒューズ回路ＦＵ１、ＦＵ２及びＦＵ３とを有している。
【先行技術文献】
【特許文献】
【０００４】
【特許文献１】国際公開第２００２／０６１９１７号
【発明の概要】
【発明が解決しようとする課題】
【０００５】
しかしながら、処理の優先度が低く、処理を中断できる負荷が負荷Ｌ１、Ｌ２及びＬ３に存在する場合がある。
この場合においても、図２の構成では、ヒューズ回路ＦＵ１、ＦＵ２及びＦＵ３を介して、負荷Ｌ１、Ｌ２、Ｌ３が常に接続されているため、負荷Ｌ１、Ｌ２及びＬ３のすべてに対し、処理の中断が行えない負荷と同様のレベルの信頼性を与える構成となり、バッテリＢＡＴの容量を大きくするなどの対策により、給電システム全体が高価なものとなる。
【０００６】
本発明は、このような事情に鑑みてなされたもので、信頼性を有しかつ安価な構成により、直流電源が出力する直流電力が低下した場合に、処理の中断が行えない負荷に対して、必要な電力を供給することができる給電システム及び負荷遮断制御装置を提供することを目的とする。
【課題を解決するための手段】
【０００７】
本発明の給電システムは、複数の負荷に電力を供給するとともに、自身の稼動状態を示す稼動情報を出力する直流電源と、前記負荷の各々と前記直流電源との間に設けられ、前記負荷と前記直流電源との間を接続状態または非接続状態に切り換えるとともに、接続状態において前記負荷に供給される電流及び電圧として電力情報を検出するスイッチ部と、前記電力情報により前記負荷毎の負荷容量を算出し、前記スイッチ部により前記直流電源に接続されている前記負荷全ての負荷容量を加算した合計負荷容量を算出し、当該合計負荷容量が前記稼動情報から求められる前記直流電源の出力する電力の出力容量を超えたか否かを監視する電源監視部と、前記電源監視部の監視結果により、前記合計負荷容量が前記出力容量を超えている場合、予め設定された遮断順序に従い、前記負荷の前記スイッチ部を非接続状態とするスイッチ制御部とを備え、遮断時間の短い負荷の遮断処理を行う優先順位が高く、前記遮断順序が、前記優先順位の順番に従って設定されていることを特徴とする。
【０００８】
本発明の給電システムは、前記電源監視部が、前記スイッチ部が前記遮断順序に従い非接続状態とされる毎に、前記直流電源に接続されている前記負荷全ての負荷容量を加算して合計負荷容量を算出し、当該合計負荷容量が前記稼動情報から得られる前記出力容量を超えているか否かを監視し、前記スイッチ制御部が、前記監視の結果により合計負荷容量が前記直流電源の出力容量を超えていないことを示す場合、前記遮断順序における以降の前記スイッチ部を非接続状態とする処理を終了することを特徴とする。
【０００９】
本発明の給電システムは、前記遮断順序が前記スイッチ部を非接続状態とする順番を示す遮断優先順位であり、前記スイッチ部を識別するスイッチ識別情報と、当該スイッチ識別情報の示す前記スイッチ部の前記遮断優先順位とを対応付けた遮断テーブルが記憶された記憶部を有し、前記スイッチ制御部が、前記合計負荷容量が前記出力容量を超えていることを示す監視結果を前記電源監視部から得ると、前記遮断優先順位に従い前記スイッチ識別情報を読み込み、当該スイッチ識別情報の示す前記スイッチ部を非接続状態とすることを特徴とする。
【００１０】
本発明の給電システムは、前記遮断順序が前記電源監視部から前記合計負荷容量が前記出力容量を超えていることを示す監視結果が入力されてからの経過時間である遮断時間で定められており、前記スイッチ部を識別するスイッチ識別情報と、当該スイッチ識別情報の前記遮断時間とが対応付けられた遮断テーブルが記憶された記憶部と、前記電源監視部が前記合計負荷容量が前記出力容量を超えたことを判定してからの経過時間をカウントするタイマーとを有し、前記スイッチ制御部が、前記合計負荷容量が前記出力容量を超えていることを示す監視結果を前記電源監視部から得ると、前記遮断テーブルから前記経過時間以下の前記遮断時間を検出し、当該遮断時間に対応して記憶されている前記スイッチ識別情報の示す前記スイッチ部を非接続状態とすることを特徴とする。
【００１１】
本発明の給電システムは、前記遮断順序が前記直流電源の出力する電圧値の大きさとして設定されており、前記スイッチ部を切断状態とする当該電圧値の大きさを遮断電圧とし、
前記スイッチ部を識別するスイッチ識別情報と、当該スイッチ部の前記遮断電圧とを対応付けた遮断テーブルが記憶された記憶部を有し、前記スイッチ制御部が、前記合計負荷容量が前記出力容量を超えていることを示す監視結果を前記電源監視部から得ると、前記遮断テーブルから、前記直流電源の出力する前記電圧を超える前記遮断電圧を検出し、当該遮断電圧に対応して記憶されているスイッチ識別情報の示す前記スイッチ部を非接続状態とすることを特徴とする。
【００１２】
本発明の給電システムは、前記直流電源が複数の整流器ユニットから構成されており、前記電源監視部が、前記稼動情報に含まれる前記整流器ユニットの稼動している稼働数に対し、前記整流器ユニットの単位出力電力を乗算して、前記直流電源の前記出力容量を求めることを特徴とする。
【００１３】
本発明の負荷遮断制御装置は、直流電源から複数の負荷に対して直流電力を供給する給電システムを制御する負荷遮断制御装置であり、前記負荷の各々と前記直流電源との間に設けられ、前記負荷と前記直流電源との間を接続状態または非接続状態に切り換えるとともに、接続状態において前記負荷に供給される電流及び電圧として電力情報を検出するスイッチ部と、前記電力情報により前記負荷毎の負荷容量を算出し、前記スイッチ部により前記直流電源に接続されている前記負荷全ての負荷容量を加算した合計負荷容量を算出し、前記直流電源が出力する自身の稼動状態を示す稼動情報を読み込み、当該合計負荷容量が前記稼動情報から求められる前記直流電源の出力する電力の出力容量を超えたか否かを監視する電源監視部と、前記電源監視部の監視結果により、前記合計負荷容量が前記直流電源の出力容量を超えている場合、予め設定された遮断順序に従い、前記負荷の前記スイッチ部を非接続状態とするスイッチ制御部とを備え、遮断時間の短い負荷の遮断処理を行う優先順位が高く、前記遮断順序が、前記優先順位の順番に従って設定されていることを特徴とする。
【発明の効果】
【００１４】
この発明によれば、直流電源２が故障して、直流電源の出力する容量の電源出力容量が低下し、負荷に対して供給する合計負荷容量が、直流電源の電源出力容量を超えた場合、どうしても停止させることのできない負荷のみに対して、バッテリから電力を供給させることができる。
このため、本発明によれば、信頼性を有しかつ安価な構成により、直流電源が出力する直流電力が低下した場合に、処理の中断が行えない負荷に対して、従来に比較してより長い時間、バッテリで負荷を駆動することが可能となる。
このため、完全にスイッチ部で負荷に対する電力を遮断するため、負荷を駆動させない場合の待機電力も消費されず、給電システムはより省電力を実現することができる。
【図面の簡単な説明】
【００１５】
【図１】この発明の第１の実施形態及び第５の実施形態による給電システムの構成例を示す概略ブロック図である。
【図２】図１における直流電源２の構成例を示すブロック図である。
【図３】記憶部１３に予め記憶されている、スイッチ部ＳＷ１，ＳＷ２及びＳＷ３の遮断する優先順位と、スイッチ部ＳＷ１、ＳＷ２及びＳＷ３が遮断されているか否かを示す遮断フラグとから構成される遮断テーブルを示す図である。
【図４】第１の実施形態による給電システムにおける負荷に対する電力遮断の処理の動作例を示すフローチャートである。
【図５】この発明の第２の実施形態から第４の実施形態による給電システムの構成例を示す概略ブロック図である。
【図６】第２の実施形態による給電システムにおける負荷に対する電力遮断の処理の動作例を示すフローチャートである。
【図７】スイッチ部ＳＷ１、ＳＷ２及びＳＷ３の遮断処理における遮断までの待ち時間（以下、遮断時間）と、スイッチ部ＳＷ１、ＳＷ２及びＳＷ３が遮断されているか否かを示す遮断フラグから構成されている遮断テーブルを示す図である。
【図８】第３の本実施形態による給電システムにおける負荷に対する電力遮断の処理の動作例を示すフローチャートである。
【図９】第４の実施形態による給電システムにおける負荷に対する電力遮断の処理の動作例を示すフローチャートである。
【図１０】スイッチ部ＳＷ１、ＳＷ２及びＳＷ３の遮断処理における遮断が実行される遮断電圧値と、スイッチ部ＳＷ１、ＳＷ２、ＳＷ３が遮断されているか否かを示す遮断フラグから構成されている遮断テーブルを示す図である。
【図１１】第５の実施形態における給電システムにおける負荷に対する電力遮断の処理の動作例を示すフローチャートである。
【図１２】直流電力を供給する従来の給電システムの構成を示す図である。
【発明を実施するための形態】
【００１６】
＜第１の実施形態＞
以下、図面を参照して、本発明の第１の実施形態について説明する。図１は、この発明の一実施形態による給電システムの構成例を示す概略ブロック図である。
第１の実施形態による給電システムは、負荷遮断制御部１、直流電源２、バッテリ３、スイッチ部ＳＷ１、ＳＷ２、ＳＷ３、負荷Ｌ１、Ｌ２、Ｌ３を備えている。ここで、負荷遮断制御部１と直流電源２とは、有線あるいは無線により、インターネットを含むネットワークを介して接続されている。
直流電源２は、商用交流電源１００から供給される交流電力を直流電力に変換し、負荷Ｌ１、Ｌ２及びＬ３に供給する。
【００１７】
次に、図２は、図１における直流電源２の構成例を示すブロック図である。
図２に示すように、直流電源２は、複数の整流器ユニット、例えば整流器ユニット２＿１、２＿２、…、２＿Ｎ（Ｎは１以上の整数）から構成されている。
直流電力の電力容量がＰＰＷである場合、整流器ユニット２＿１、２＿２、…、２＿Ｎの各々は、ＰＰＷ／Ｎの直流電力を出力する。
整流器ユニット２＿１は、出力がダイオードＤ１のアノードに接続されており、出力がこのダイオードＤ１を介して直流電源２の出力端子に接続されている。
ダイオードＤ１は、カソードが直流電源２の出力端子に接続されている。
整流器ユニット２＿２は、出力がダイオードＤ２のアノードに接続されており、出力がこのダイオードＤ２を介して直流電源２の出力端子に接続されている。
ダイオードＤ２は、カソードが直流電源２の出力端子に接続されている。
整流器ユニット２＿Ｎは、出力がダイオードＤＮのアノードに接続されており、出力がこのダイオードＤＮを介して直流電源２の出力端子に接続されている。
ダイオードＤＮは、カソードが直流電源２の出力端子に接続されている。
【００１８】
制御部２０は、整流器ユニット２＿１、２＿２、…、２＿Ｎの各々の稼動状態を検出、すなわち故障等により直流電力を出力しない整流器ユニットを検出し、出力端スイッチ制御部１に対して、稼動している整流器ユニットの数を稼動情報として送信する。
また、制御部２０は、商用交流電源１００が停電などで交流電力が供給されず、直流電力の出力が不可能な場合にも、全ての整流器ユニットが故障している状態と判定し、負荷遮断制御部１に対して、稼動している整流器ユニットの数を０として稼動情報を出力する。
【００１９】
ここで、整流器ユニット２＿１、２＿２、…、２＿ＮのうちＭ（１以上の整数、Ｎ≧Ｍ）個が故障した場合、直流電源２の出力容量は、ＰＰＷ×（（Ｎ−Ｍ）／Ｎ）倍となる。
例えば、直流電源２が４台ずつの整流器ユニットから構成されているとする。直流電源２の最大出力電力が１００ｋＷであると、整流器ユニット１台当たりの出力電力の容量が２５ｋＷとなる。そして、直流電源２における整流器ユニットが１台故障したとすると、直流電源２の出力電力は１００ｋＷの３／４の７５ｋＷとなる。
【００２０】
図１に戻り、負荷Ｌ１、Ｌ２及びＬ３は、例えば、サーバなどであり、稼動状態に応じて負荷容量が変動する。
バッテリ３は、直流電源２が負荷Ｌ１、Ｌ２及びＬ３の負荷容量の合計を超える容量の直流電力を出力している場合、直流電源２の出力する直流電力による充電状態となり、一方、直流電源２が負荷Ｌ１、Ｌ２及びＬ３の負荷容量の合計未満の容量を直流電源２が出力している場合、不足の電力量を補うために放電状態となる。
【００２１】
スイッチ部ＳＷ１は、直流電源２と負荷Ｌ１との配線Ｓ１に介挿されており、直流電源２と負荷Ｌ１とを電気的に接続状態（オン状態）あるいは非接続状態（オフ状態）とするスイッチ機能（接続状態または非接続状態を切り換える機能）を有する。
また、スイッチ部ＳＷ１は、負荷Ｌ１の電源入力端子の電圧値Ｖ１と電流値Ｉ１とを測定し、負荷遮断制御部１に対して出力する。
スイッチ部ＳＷ２は、直流電源２と負荷Ｌ２との配線Ｓ２に介挿されており、直流電源２と負荷Ｌ２とを電気的に接続状態あるいは非接続状態とするスイッチ機能を有する。
また、スイッチ部ＳＷ２は、負荷Ｌ２の電源入力端子の電圧値Ｖ２と電流値Ｉ２とを測定し、負荷遮断制御部１に対して出力する。
スイッチ部ＳＷ３は、直流電源２と負荷Ｌ３との配線Ｓ３に介挿されており、直流電源２と負荷Ｌ３とを電気的に接続状態あるいは非接続状態とするスイッチ機能を有する。
また、スイッチ部ＳＷ３は、負荷Ｌ３の電源入力端子の電圧値Ｖ３と電流値Ｉ３とを測定し、負荷遮断制御部１に対して出力する。
【００２２】
負荷遮断制御部１は、直流電源２の出力する出力電力の電源出力容量と、負荷Ｌ１、Ｌ２及びＬ３の負荷容量の合計である合計負荷容量とを比較し、スイッチ部ＳＷ１、ＳＷ２及びＳＷ３の接続状態の制御を行う。
この負荷遮断制御部１は、電源監視部１１、スイッチ制御部１２及び記憶部１３を備えている。
電源監視部１１は、直流電源２が出力する、直流電源２自身の稼動状態を示す稼動情報を読み込み、この読み込んだ稼動情報から、直流電源２における整流器ユニットの稼動数を抽出し、稼働数に応じた直流電源２の現在の直流電力の容量である電源出力容量を算出する。また、電源監視部１１は、内部に記憶部を有している。この内部の記憶部には、直流電源２の整流器ユニット数と、整流器ユニット１個当たりの出力容量とが書き込まれて記憶されている。
【００２３】
また、電源監視部１１は、スイッチ部ＳＷ１、ＳＷ２及びＳＷ３の各々から、それぞれ負荷Ｌ１の電源入力端子の電流値Ｉ１及び電圧値Ｖ１と、負荷Ｌ２の電源入力端子の電流値Ｉ２及び電圧値Ｖ２と、負荷Ｌ３の電源入力端子の電流対Ｉ３及び電圧値Ｖ３とを読み込む。
また、電源監視部１１は、電流値Ｉ１と電圧値Ｖ１とを乗算して負荷Ｌ１の負荷容量ＰＷ１を算出し、電流値Ｉ２と電圧値Ｖ２とを乗算して負荷Ｌ２の負荷容量ＰＷ２を算出し、電流値Ｉ３と電圧値Ｖ３とを乗算して負荷Ｌ３の負荷容量ＰＷ３を算出する。
また、電源監視部１１は、負荷容量ＰＷ１、ＰＷ２及びＰＷ３を加算して、加算結果を合計負荷容量とし、直流電源２の電源出力容量と、この合計負荷容量を比較し、合計負荷容量が電源出力容量を超えている場合、超えたことを示す制御信号をスイッチ制御部１２に対して出力する。
【００２４】
次に、図３は、記憶部１３に予め記憶されている、スイッチ部ＳＷ１，ＳＷ２及びＳＷ３の遮断する優先順位を示す遮断テーブルである。この図３は、スイッチ部ＳＷ１、ＳＷ２及びＳＷ３における遮断優先順位として、スイッチ部ＳＷ１が切断優先順位が最も高く（＃１）、遮断優先順位が２番目（＃２）としてスイッチＳＷ２が、そしてスイッチＳＷ３は遮断をしない（×印）ことを示している。ここで、遮断テーブルにおけるスイッチ部の遮断優先順位及び遮断しないスイッチ部は、予めユーザから確認を取り、生成して記憶部１３に書き込んで記憶させる。
また、遮断フラグは、スイッチ部ＳＷ１、ＳＷ２、ＳＷ３の各々が遮断されているか否かを示すフラグであり、「○」が遮断されていることを示し、「×」が遮断されていないことを示す。給電システムが稼動した際に、この遮断テーブルの遮断フラグは、電源監視部１１により初期化され、全遮断フラグが「×」とされる。
【００２５】
すなわち、負荷Ｌ１、Ｌ２は、直流電源２の出力電流が低下した場合などに、スイッチ部ＳＷ１及びＳＷ２により、負荷Ｌ３に対して供給される電力を確保するため、直流電源２から切り離されて停止状態となる。例えば、負荷Ｌ１及びＬ２は、稼動の重要度が低いか、あるいは仮想化やクラウド化されたサーバなどであり、他の直流電源に接続されるサーバに処理の移行が可能であるかのいずれかである。
【００２６】
図１に戻り、スイッチ制御部１２は、スイッチ部ＳＷ１、ＳＷ２及びＳＷ３のオン状態（接続状態）及びオフ状態（非接続状態）を、直流電源２の電源出力容量と合計負荷容量との比較結果に対応させ、上述した遮断テーブルに従って制御し、直流電源２と負荷Ｌ１、Ｌ２、Ｌ３の各々との接続状態、非接続状態を制御する。
ここで、スイッチ制御部１２は、直流電源２の電源出力容量と合計負荷容量との比較結果が電源監視部１１から供給される毎に、スイッチ部ＳＷ１、ＳＷ２及びＳＷ３のオン状態及びオフ状態の制御を行う。
すなわち、スイッチ制御部１２は、合計負荷容量が直流電源２の電源出力容量を超えた場合に、遮断テーブルの遮断優先順位の順番にスイッチ部を遮断し、合計負荷容量が直流電源２の電源出力容量未満の場合に、遮断テーブルの遮断優先順位と逆の順番にスイッチ部をオン状態とする。
【００２７】
上述した構成により、本実施形態による給電システムは、直流電源２が故障して、直流電源２の出力する容量の電源出力容量が低下し、負荷Ｌ１、Ｌ２及びＬ３に対して供給する合計負荷容量が、直流電源２の電源出力容量を超えた場合、どうしても停止させることのできない負荷のみに対して、バッテリ３から電力を供給させるため、従来に比較してより長い時間、バッテリ３で負荷を駆動することが可能となる。この場合、完全にスイッチ部で負荷に対する電力を遮断するため、負荷を駆動させない場合の待機電力も消費されず、給電システムはより省電力な構成となる。
また、本実施形態による給電システムは、バッテリ３の電力で動作させる必要が有る場合、同一の時間駆動させるために必要なバッテリ３の容量を、従来に比較して低減することが可能となり、給電システム全体のコストを低くすることができる。
【００２８】
また、近年、仮想化あるいはクラウド化により、図１２の給電システムが点在して設置され、点在した給電システムの各々に同様の機能を有するサーバなどのＩＣＴ装置がインターネットを含む情報ネットワークにおいて相互に接続されるようになってきている。
この仮想化あるいはクラウド化した構成の場合、点在するＩＣＴ装置のうちのいずれかを機能させる運用形態となるため、必ずしも点在しているすべてのＩＣＴ装置を使用する必要がなくなる。
すなわち、仮想化あるいはクラウド化した構成の場合、商用電力の停電や直流電源の故障などにより、直流電源の出力する電力容量が低下してしまい、負荷Ｌ１、Ｌ２及びＬ３全てに対して直流電力が供給できなくなった際、直流電力が供給できなくなった直流電源に接続されたＩＣＴ装置の処理を、他の設置場所にある直流電力が供給可能な直流電源と接続されたＩＣＴ装置に移行させることができる。
【００２９】
したがって、処理の移行が可能な負荷が存在し、この負荷に対して直流電力を供給する必要がなくなるとしても、図１２の構成の給電システムの場合、ヒューズ回路ＦＵ１、ＦＵ２、ＦＵ３により、負荷Ｌ１、Ｌ２、Ｌ３が常に接続されているため、負荷Ｌ１、Ｌ２及びＬ３のすべてに対し、処理の移行が可能（処理を中断が可能）な負荷と同様のレベルの信頼性を与える構成となり、バッテリＢＡＴの容量を大きくするなどの対策により、給電システム全体が高価なものとなる。
しかしながら、本実施形態によれば、直流電源２の電源出力容量が低下した場合、他の直流電源に接続されているサーバ（負荷）に処理が移行できるものは優先度を低くし、他に同様な処理を行うサーバがないものは遮断を行わないようにし、直流電源２の電源出力容量が低下した際、他に処理を移行したサーバのスイッチ部をオフ状態とすることにより、遮断できない負荷に対して電力を安定的に供給することができる。
【００３０】
次に、図１及び図４を参照して、本実施形態における給電システムにおける負荷に対する電力遮断の動作を説明する。図４は第１の実施形態による給電システムにおける負荷に対する電力遮断の処理の動作例を示すフローチャートである。
ステップＳ１：
電源監視部１１は、直流電源２から供給される稼動情報から整流器ユニットの稼働数を抽出し、抽出した稼働数と、予め内部の記憶部に設定されている整流器ユニット数とを比較し、直流電源２が故障（商用交流電源１００の故障も含む）したか否かの判定を行う。
すなわち、電源監視部１１は、稼働数が整流器ユニット数未満である場合、直流電源２が故障していると判定して処理をステップＳ２へ進め、一方、稼働数と整流器ユニット数とが一致している場合、処理をステップＳ１へ進める（ステップＳ１の処理を繰り返す）。
【００３１】
ステップＳ２：
次に、電源監視部１１は、稼動情報から抽出した稼働数に対して、内部記憶部に記憶されている整流器ユニット容量を乗算し、直流電源２の電源出力容量を算出する。
電源出力容量を算出した後、電源監視部１１は、内部記憶部に稼働数を書き込んで記憶させて、処理をステップＳ３へ進める。
【００３２】
ステップＳ３：
そして、電源監視部１１は、スイッチ部ＳＷ１から負荷Ｌ１の電源入力端子における電流値Ｉ１及び電圧値Ｖ１を読み込み、スイッチ部ＳＷ２から負荷Ｌ２の電源入力端子における電流値Ｉ２及び電圧値Ｖ２を読み込み、また、スイッチ部ＳＷ３から負荷Ｌ３の電源入力端子における電流値Ｉ３及び電圧値Ｖ３を読み込む。
スイッチ部ＳＷ１、ＳＷ２、ＳＷ３の各々から負荷Ｌ１、Ｌ２及びＬ３の電流値及び電圧値を読み込んだ後、電源監視部１１は、処理をステップＳ４へ進める。
【００３３】
ステップＳ４：
そして、電源監視部１１は、以下の計算式により合計負荷容量を算出する。
合計負荷容量＝Ｉ１×Ｖ１＋Ｉ２×Ｖ２＋Ｉ３×Ｖ３
合計負荷容量を計算した後、電源監視部１１は、処理をステップＳ５へ進める。
【００３４】
ステップＳ５：
次に、電源監視部１１は、直流電源２の電源出力容量と、負荷Ｌ１、Ｌ２及びＬ３の合計負荷容量とを比較し、合計負荷容量が電源出力容量を超えている場合、スイッチ制御部１２に対して、合計負荷容量が電源出力容量を超えたことを示す制御信号を出力し、処理をステップＳ６へ進める。
一方、電源監視部１１は、合計負荷容量が電源出力容量以下の場合、処理をステップＳ９へ進める。ここで、電源監視部１１は、負荷Ｌ１、Ｌ２及びＬ３の全てに電力を供給できる能力の有無を検出している。
【００３５】
ステップＳ６：
そして、スイッチ制御部１２は、合計負荷容量が電源出力容量を超えたことを示す制御信号が電源監視部１１から供給されると、記憶部１３に記憶されている遮断テーブルの参照を行う。すなわち、スイッチ制御部１２は、遮断フラグが「×」である遮断されていない最も遮断優先順位の高いスイッチ部を検出し、スイッチ部名（スイッチ識別情報、本実施形態においてはＳＷ１などの符号）を、遮断テーブルから読み込む。
スイッチ識別情報を読み込んだ後、スイッチ制御部１２は、処理をステップＳ７へ進める。
【００３６】
ステップＳ７：
次に、スイッチ制御部１２は、遮断テーブルから読み込んだスイッチ部名のスイッチ部をオフ状態とし（解列制御し）、負荷に対する電力の供給を遮断する。
そして、スイッチ制御部１２は、記憶部１３に記憶されている遮断テーブルにおいて、遮断したスイッチ部の遮断フラグを「×」から「○」に書き換える。
遮断有線順位に対応して、１個のスイッチ部をオフ状態とした後、スイッチ制御部１２は、処理をステップＳ８へ進める。
【００３７】
ステップＳ８：
次に、スイッチ制御部１２は、記憶部１３の遮断テーブルを参照し、遮断優先順位が付加されたスイッチ部において、遮断フラグが×であるスイッチ部の有無を検出し、遮断可能なスイッチ部が存在していないか（０か）否かの判定を行う。
そして、スイッチ制御部１２は、遮断フラグが×である遮断制御可能なスイッチ部が存在する場合、処理をステップＳ６へ進め、一方、遮断フラグが×である遮断制御可能なスイッチ部が存在しない場合、処理をステップＳ１１へ進める。
【００３８】
ステップＳ９：
次に、スイッチ制御部１２は、遮断制御を行わなずに、スイッチ部ＳＷ１、ＳＷ２をオン状態に現状維持し、処理をステップＳ１０へ進める。
【００３９】
ステップＳ１０：
次に、電源監視部１１は、直流電源２から稼動情報を読み込み、稼動情報から整流器ユニットの稼働数を抽出し、この稼働数と内部記憶部に記憶されている稼働数とを比較し、稼働数が変化した（稼働数が増加した、あるいは稼動数が減少した）か否かの判定を行う。
このとき、電源監視部１１は、稼働数が変化しない場合、処理をステップＳ９へ進め、一方、整流器ユニットの稼働数が変化した場合、処理をステップＳ１へ進める。
このとき、電源監視部１１は、直流電源２から供給される稼動情報における稼働数が、ステップＳ２において電源出力容量を算出した際の稼働数より小さい場合、負荷を解列する必要がある。
また、電源監視部１１は、直流電源２における整流器ユニットの稼働数が増加した場合、直流電源２が故障か否かの判定を再度行う必要がある。
【００４０】
ステップＳ１１：
次に、電源監視部１１は、直流電源２から稼動情報を読み込み、稼動情報から整流器ユニットの稼働数を抽出し、この抽出した稼働数と内部記憶部に記憶されている稼働数とを比較し、稼働数が内部記憶部に記憶されている稼働数と一致したか否かの判定を行う。
このとき、電源監視部１１は、抽出した稼働数が内部記憶部に記憶されている稼働数とを比較し、直流電源２の故障が復旧したか否かの判定を行う。
すなわち、電源監視部１１は、抽出した稼働数と、内部記憶部に記憶されている稼働数とが一致した場合、直流電源２の故障が復旧したとして処理をステップＳ１２へ進める。
一方、電源監視部１１は、抽出した稼働数と、内部記憶部に記憶されている稼働数とが一致しない場合、直流電源２の故障が復旧していないとして処理をステップＳ１１へ進める（ステップＳ１１の処理を繰り返す）。
【００４１】
ステップＳ１２：
電源監視部１１が直流電源２の故障が復旧したと判定すると、記憶部１３に記憶されている遮断テーブルの参照を行う。すなわち、スイッチ制御部１２は、遮断フラグが「○」である遮断されている最も遮断優先順位の低いスイッチ部を検出し、スイッチ部名を遮断テーブルから読み込む。
スイッチ識別情報を読み込んだ後、スイッチ制御部１２は、処理をステップＳ１３へ進める。
【００４２】
ステップＳ１３：
次に、スイッチ制御部１２は、遮断テーブルから読み込んだスイッチ部名のスイッチ部をオン状態とし（投入制御し）、負荷に対する電力の供給を再開する。
そして、スイッチ制御部１２は、記憶部１３の遮断テーブルにおいて、オン状態としたスイッチ部のスイッチ部名の遮断フラグを「○」から「×」に変更する。
遮断有線順位の逆の順番に対応して、１個のスイッチ部をオン状態とした後、スイッチ制御部１２は、処理をステップＳ１４へ進める。
【００４３】
ステップＳ１４：
次に、スイッチ制御部１２は、記憶部１３の遮断テーブルを参照し、遮断優先順位が付加されたスイッチ部において、遮断フラグが○であるスイッチ部の有無を検出し、投入制御が可能なスイッチ部が存在していないか（０か）否かの判定を行う。
そして、スイッチ制御部１２は、投入制御可能なスイッチ部が存在する場合、処理をステップＳ６へ進め、一方、投入制御可能なスイッチ部が存在しない場合、処理をステップＳ１へ進める。
【００４４】
＜第２の実施形態＞
以下、図面を参照して、本発明の第２の実施形態について説明する。図５は、この発明の一実施形態による給電システムの構成例を示す概略ブロック図である。図５の第２の実施形態は、図１の第１の実施形態と同様の構成について同一の符号を付し、その説明を省略する。以下、第１の実施形態と異なる点について、第２の実施形態の給電システムの説明を行う。第２の実施形態は、負荷遮断制御部１が第１の実施形態における電源監視部１１、スイッチ制御部１２及び記憶部１３に加え、タイマー部１４が負荷されている。
タイマー部１４は、電源監視部１１が所定時間の経過をカウントするための構成である。
【００４５】
また、電源監視部１１は、スイッチ制御部１２がスイッチ部を１個遮断する毎に、全負荷容量を再度算出し、この全負荷容量が電源出力容量を超えているか否かの判定を行い、この超えているか否かを示す制御情報を、スイッチ制御部１２へ出力する。
また、スイッチ制御部１２は、全負荷容量が電源出力容量を超えている制御情報が供給されると、スイッチ部を１個遮断し、次の全負荷容量が電源出力容量を超えている制御情報が供給されるまで、スイッチ部の遮断を行わない。
【００４６】
上述した構成により、本実施形態による給電システムは、第１の実施形態と同様に、直流電源２が故障して、直流電源２の出力する容量の電源出力容量が低下し、負荷Ｌ１、Ｌ２及びＬ３に対して供給する合計負荷容量が、直流電源２の電源出力容量を超えた場合、どうしても停止させることのできない負荷のみに対して、バッテリ３から電力を供給させるため、従来に比較してより長い時間、バッテリ３で負荷を駆動することが可能となる。この場合、完全にスイッチ部で負荷に対する電力を遮断するため、負荷を駆動させない場合の待機電力も消費されず、給電システムはより省電力な構成となる。
【００４７】
また、本実施形態による給電システムは、バッテリ３の電力で動作させる必要が有る場合、同一の時間駆動させるために必要なバッテリ３の容量を、従来に比較して低減することが可能となり、給電システム全体のコストを低くすることができる。
さらに、本実施形態による給電システムは、直流電源２の電源出力容量に対応した数の負荷のスイッチ部を動作させることができ、直流電源２の電源出力容量が低下した場合に、許可されている全ての負荷の電力を遮断する構成に比較して、細かな負荷の駆動制御を行うことができる。
【００４８】
次に、図５及び図６を参照して、本実施形態における給電システムにおける負荷に対する電力遮断の動作を説明する。図６は第２の実施形態による給電システムにおける負荷に対する電力遮断の処理の動作例を示すフローチャートである。
ステップＳ１からステップＳ５までの処理は、第１の実施形態と同様のため、説明を省略する。また、ステップＳ５において、電源監視部１１は、合計負荷容量が電源出力容量を超えている場合、処理をステップＳ２１へ進め、一方、合計負荷容量が電源出力容量以下の場合、処理をステップＳ９へ進める
【００４９】
ステップＳ２１：
スイッチ制御部１２は、内部レジスタの優先順位番号＃Ｎの初期化、すなわち＃Ｎを１とし、処理をステップＳ６へ進める。
【００５０】
ステップＳ６：
そして、スイッチ制御部１２は、合計負荷容量が電源出力容量を超えたことを示す制御信号が電源監視部１１から供給されると、記憶部１３に記憶されている遮断テーブルの参照を行う。すなわち、スイッチ制御部１２は、優先順位番号＃Ｎのスイッチ部を検出し、スイッチ部名を、遮断テーブルから読み込む。ここで、遮断テーブルにおいて、図３に示すように、遮断してはいけないと定義されている負荷のスイッチ部には遮断優先順位を示す優先順位番号を付加しない。
スイッチ識別情報を読み込んだ後、スイッチ制御部１２は、処理をステップＳ２２へ進める。
【００５１】
ステップＳ２２：
次に、スイッチ制御部１２は、遮断テーブルから読み込んだスイッチ部名のスイッチ部をオフ状態とし（解列制御し）、すなわち、優先順位番号＃Ｎにより優先順位番号の順番に負荷に対する電力の供給を遮断する。
そして、スイッチ制御部１２は、記憶部１３に記憶されている遮断テーブルにおいて、遮断したスイッチ部の遮断フラグを「×」から「○」に書き換える。
遮断優先順位に対応して、１個のスイッチ部をオフ状態とした後、スイッチ制御部１２は、処理をステップＳ２３へ進める。
【００５２】
ステップＳ２３：
次に、電源監視部１１は、記憶部１３の遮断テーブルから遮断フラグが「×」のスイッチ部と、遮断されない（遮断しては行けないと定義された）スイッチ部のスイッチ部名を読み出し、スイッチ部名に対応する負荷の負荷容量を求める。ここで、スイッチ部名と負荷との対応テーブルは、記憶部１３に記憶されているとする。また、この対応テーブルには、ステップＳ３で読み込んだ各負荷の電流値及び電圧値が、測定した負荷と対応して記憶されている。
この結果、電源監視部１１は、この記憶部１３に記憶されている対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算する。
そして、電源監視部１１は、遮断優先順位の順番に、１個ずつスイッチ部を遮断する毎に、その遮断した後の合計負荷容量を計算することになる。
次に、電源監視部１１は、直流電源２の電源出力容量と、スイッチ部を遮断した後の合計負荷容量とを比較し、電源出力容量を合計負荷容量が超えているか否かの判定を行う。
このとき、電源監視部１１は、合計負荷容量が電源出力容量を超えている場合、処理をステップＳ２４へ進め、合計負荷容量が電源出力容量以下の場合、処理をステップＳ２６へ進める。
【００５３】
ステップＳ２４：
スイッチ制御部１２は、内部レジスタの優先順位番号＃Ｎをインクリメント、すなわち＃Ｎに記憶されている数値に１を加算し、新たな優先順位番号＃Ｎとし、処理をステップＳ２５へ進める。
【００５４】
ステップＳ２５：
次に、スイッチ制御部１２は、現在の優先順位番号＃Ｎと、遮断しても良いとして有線順位番号が付加されている負荷の数とを比較し、遮断しても良いとされた負荷全てのスイッチ部を遮断したか否かの判定を行う。
このとき、スイッチ制御部１２は、現在の優先順位番号＃Ｎが遮断しても良い負荷の数を超えている場合、遮断しても良いとされている負荷全てのスイッチ部を遮断しているため、処理をステップＳ３０へ進める。
一方、スイッチ制御部１２は、現在の優先順位番号＃Ｎが遮断しても良い負荷の数以下の場合、遮断しても良いとされている負荷全てのスイッチ部を遮断していないため、処理をステップＳ６へ進める。
【００５５】
ステップＳ２６：
次に、スイッチ制御部１２は、遮断制御を行わなずに、遮断したスイッチ部以外、他のスイッチ部の遮断の制御を行わず、直流電源２の電源出力容量に対応した負荷に対して電力を供給する状態にて現状維持し、処理をステップＳ２７進める。
【００５６】
ステップＳ２７：
電源監視部１１は、全負荷容量が電源出力容量以下であることを検出した後、タイマー部１４を初期化して、カウントを開始させる。
そして、電源監視部１１は、タイマー部１４のカウントした計数値が、予め設定した設定値を超えたことを検出すると、処理をステップＳ２８へ進める。
【００５７】
ステップＳ２８：
次に、電源監視部１１は、直流電源２から稼動情報を読み込み、読み込んだ稼動情報から整流器ユニットの稼働数を抽出する。
そして、電源監視部１１は、この抽出した稼働数と、内部記憶部に記憶されている整流器ユニット数とを比較して、直流電源２が復旧したか否かの判定を行う。
このとき、電源監視部１１は、抽出した稼働数と内部記憶部に記憶されている整流器ユニット数とが一致している場合、直流電源２の故障が復旧したとして、処理をステップＳ３１へ進める。
一方、電源監視部１１は、抽出した稼働数と内部記憶部に記憶されている整流器ユニット数とが一致しない場合、直流電源２の故障が復旧していないとして、処理をステップＳ２９へ進める。
【００５８】
ステップＳ２９：
次に、電源監視部１１は、記憶部１３の遮断テーブルから遮断フラグが「×」のスイッチ部と、遮断されないスイッチ部のスイッチ部名を読み出し、スイッチ部名に対応する負荷の負荷容量を求める。ここで、電源監視部１１は、記憶部１３の対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算して、各負荷の負荷容量を求める。
そして、電源監視部１１は、遮断フラグが「×」のスイッチ部に対応する負荷と、遮断されないスイッチ部に対応する負荷との負荷容量を加算し、合計負荷容量を計算する。
また、電源監視部１１は、抽出した稼働数と整流器ユニット容量とを乗算し、現在の電源出力容量を算出する。
次に、電源監視部１１は、直流電源２の現在の電源出力容量と、スイッチ部を遮断した後の合計負荷容量とを比較し、電源出力容量を合計負荷容量が超えているか否かの判定を行う。
このとき、電源監視部１１は、合計負荷容量が電源出力容量を超えている場合、処理をステップＳ２４へ進め、合計負荷容量が電源出力容量以下の場合、処理をステップＳ２６へ進める。
【００５９】
ステップＳ３０：
次に、電源監視部１１は、直流電源２から稼動情報を読み込み、読み込んだ稼動情報から整流器ユニットの稼働数を抽出する。
そして、電源監視部１１は、この抽出した稼働数と、内部記憶部に記憶されている整流器ユニット数とを比較して、直流電源２が復旧したか否かの判定を行う。
このとき、電源監視部１１は、抽出した稼働数と内部記憶部に記憶されている整流器ユニット数とが一致している場合、直流電源２の故障が復旧したとして、処理をステップＳ３１へ進める。
一方、電源監視部１１は、抽出した稼働数と内部記憶部に記憶されている整流器ユニット数とが一致しない場合、直流電源２の故障が復旧していないとして、処理をステップＳ３０へ進める（ステップＳ３０の処理を繰り返す）。
【００６０】
ステップＳ３１：
スイッチ制御部１２は、内部レジスタの優先順位番号＃Ｎの初期化、すなわち＃Ｎを１とし、処理をステップＳ３２へ進める。
【００６１】
ステップＳ３２：
次に、電源監視部１１は、抽出した稼働数と整流器ユニット容量とを乗算し、現在の電源出力容量、すなわち復旧した直流電源２の電源出力容量を算出し、処理をステップＳ３３へ進める。
【００６２】
ステップＳ３３：
スイッチ制御部１２は、遮断における優先順位の逆の順番でスイッチ部を投入するため、内部レジスタの優先順位番号＃Ｍの初期化、すなわち＃Ｍを電力を遮断して良いとする負荷の数とし、処理をステップＳ３４へ進める。
【００６３】
ステップＳ３４：
次に、スイッチ制御部１２は、記憶部１３に記憶されている遮断テーブルから、優先順位番号＃Ｍに対応するスイッチ部名を読み出し、処理をステップＳ３５へ進める。
【００６４】
ステップＳ３５：
次に、スイッチ制御部１２は、遮断テーブルから読み出したスイッチ部の投入制御を行う。
このとき、スイッチ制御部１２は、記憶部１３に記憶されている遮断テーブルにおいて、投入した（オン状態とした）スイッチ部の遮断フラグを「○」から「×」に書き換える。
遮断優先順位の逆の順番に対応して、１個のスイッチ部をオン状態とした後、スイッチ制御部１２は、処理をステップＳ３６へ進める。
【００６５】
ステップＳ３６：
次に、電源監視部１１は、記憶部１３の遮断テーブルから遮断フラグが「×」のスイッチ部と、遮断されないスイッチ部のスイッチ部名を読み出し、スイッチ部名に対応する負荷の負荷容量を求める。ここで、電源監視部１１は、記憶部１３の対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算して、各負荷の負荷容量を求める。
そして、電源監視部１１は、遮断フラグが「×」のスイッチ部に対応する負荷と、遮断されないスイッチ部に対応する負荷との負荷容量を加算し、合計負荷容量を計算する。
次に、電源監視部１１は、直流電源２の現在の電源出力容量と、スイッチ部を投入した後の合計負荷容量とを比較し、電源出力容量を合計負荷容量が超えているか否かの判定を行う。
このとき、電源監視部１１は、合計負荷容量が電源出力容量を超えている場合、処理をステップＳ４０へ進め、合計負荷容量が電源出力容量以下の場合、処理をステップＳ３７へ進める。
【００６６】
ステップＳ３７：
次に、スイッチ制御部１２は、内部レジスタの優先順位番号＃Ｍをデクリメント、すなわち＃Ｍに記憶されている数値から１を減算し、新たな優先順位番号＃Ｍとし、処理をステップＳ３８へ進める。
【００６７】
ステップＳ３８：
そして、スイッチ制御部１２は、＃Ｍが０か否かの検出を行い、スイッチ部全ての投入が終了したか否かの判定を行う。
このとき、スイッチ制御部１２は、＃Ｍが０の場合、スイッチ部全ての投入が終了したとして、処理をステップＳ３９へ進め、一方、＃Ｍが０でない場合、スイッチ部全ての投入が終了していないとして、処理をステップＳ３４へ進める。
【００６８】
ステップＳ３９：
スイッチ制御部１２は、内部レジスタの優先順位番号＃Ｍの初期化、すなわち＃Ｍを電力を遮断して良いとする負荷の数とし、処理をステップＳ１へ進める。
【００６９】
ステップＳ４０：
スイッチ制御部１２は、合計負荷容量が電源出力容量を超えているため、新たなスイッチを遮断するため、優先順位番号＃Ｎに対して、優先順位番号＃Ｍの数値を代入し、処理をステップＳ６へ進める。
【００７０】
＜第３の実施形態＞
以下、図面を参照して、本発明の第３の実施形態について説明する。第３の実施形態による給電システムの構成は、第２の実施形態の図５と同様である。
動作については、第１の実施形態と処理は同様であるが、第１の実施形態におけるスイッチ部の遮断の優先順位付けが、第３の実施形態においては、遮断の動作が決定してから、遮断されるまでの時間に変更されている。
【００７１】
このため、記憶部１３に記憶されている遮断テーブルは、図７に示す構成となっている。この図７は、スイッチ部ＳＷ１、ＳＷ２及びＳＷ３の遮断処理における遮断までの待ち時間（以下、遮断時間）と、スイッチ部ＳＷ１、ＳＷ２及びＳＷ３が遮断されているか否かを示す遮断フラグから構成されている遮断テーブルを示す図である。例えば、スイッチ部ＳＷ１は、遮断が決定されてから６０秒でオフ状態とされ、負荷Ｌ１に対する電力の供給を遮断する。また、スイッチ部ＳＷ２は、遮断が決定されてから６００秒でオフ状態とされ、負荷Ｌ２に対する電力の供給を遮断する。また、スイッチ部ＳＷ３は、電力の供給を遮断してはいけない負荷Ｌ３に接続されているため、常時オン状態とするように定義されている。本実施形態においては、この遮断時間が短い方が遮断処理を行う遮断優先順位が高いとする。
【００７２】
スイッチ制御部１２は、電源監視部１１から合計負荷容量が電源出力容量を超えたこと（例えば、直流電源２が故障したことにより）を示す制御信号が供給されると、タイマー部１４を起動して、合計負荷容量が電源出力容量を超えたと判定してからの経過時間をカウントする。
また、スイッチ制御部１２は、遮断テーブルから遮断しても良いと定義されているスイッチ部の遮断時間を読み込み、タイマー部１４の出力する時間（合計負荷容量が電源出力容量を超えたことを示す制御情報が電源監視部１１から供給されてからの経過時間）と、各スイッチ部の遮断時間とを比較し、経過時間以下の遮断時間に対応して記憶されているスイッチ識別情報の示すスイッチ部をオフ状態とし、負荷に対する電力の供給を遮断する。
また、スイッチ制御部１２は、電源監視部１１から直流電源２の故障が復旧したことを示す制御信号が供給されると、遮断優先順位の低い順番（すなわち、遮断時間が大きい順番に）に順次、スイッチ部をオン状態とし、負荷に対して電力の投入を行う（供給を再開する）。
【００７３】
次に、図５及び図８を参照して、本実施形態における給電システムにおける負荷に対する電力遮断の動作を説明する。図８は第３の本実施形態による給電システムにおける負荷に対する電力遮断の処理の動作例を示すフローチャートである。
ステップＳ１からステップＳ５まで、ステップＳ９及びステップＳ１０、ステップＳ１１からステップＳ１４の処理は、第１の実施形態と同様のため、説明を省略する。また、ステップＳ５において、電源監視部１１は、合計負荷容量が電源出力容量を超えている場合、処理をステップＳ４１へ進め、一方、合計負荷容量が電源出力容量以下の場合、処理をステップＳ９へ進める
【００７４】
ステップＳ４１：
次に、スイッチ制御部１２は、電源監視部１１から、負荷の合計負荷容量が直流電源２の電源出力容量を超えたことを示す制御信号が供給されると、タイマー部１４に対して経過時間のカウント動作を開始させる。
そして、スイッチ制御部１２は、タイマー部１４のカウント動作を開始した後、処理をステップＳ４２へ進める。
【００７５】
ステップＳ４２：
そして、スイッチ制御部１２は、記憶部１３に記憶されている遮断テーブルの参照を行う。すなわち、スイッチ制御部１２は、遮断フラグが「×」である遮断されていない最も遮断優先順位の高いスイッチ部を検出し、すなわち遮断フラグが「×」のスイッチ部の中から遮断時間が最も短いスイッチ部名（スイッチ識別情報、本実施形態においてはＳＷ１などの符号）とこのスイッチ部の遮断時間とを、遮断テーブルから読み込む。
スイッチ識別情報とその遮断時間を読み込んだ後、スイッチ制御部１２は、処理をステップＳ４３へ進める。
【００７６】
ステップＳ４３：
次に、スイッチ制御部１２は、遮断テーブルから読み込んだスイッチ部名のスイッチ部を、タイマー部１４のカウントする時間が遮断時間に一致した時点においてオフ状態とし（解列制御し）、負荷に対する電力の供給を遮断する。
そして、スイッチ制御部１２は、記憶部１３に記憶されている遮断テーブルにおいて、遮断したスイッチ部の遮断フラグを「×」から「○」に書き換える。
遮断時間として示される遮断有線順位に対応して、１個のスイッチ部をオフ状態とした後、スイッチ制御部１２は、処理をステップＳ４４へ進める。
【００７７】
ステップＳ４４：
次に、スイッチ制御部１２は、記憶部１３の遮断テーブルを参照し、遮断優先順位として遮断時間が付加されたスイッチ部において、遮断フラグが×であるスイッチ部の有無を検出し、遮断可能なスイッチ部が存在していないか（０か）否かの判定を行う。
そして、スイッチ制御部１２は、遮断フラグが×である遮断制御可能なスイッチ部が存在する場合、処理をステップＳ４２へ進め、一方、遮断フラグが×である遮断制御可能なスイッチ部が存在しない場合、処理をステップＳ４５へ進める。
【００７８】
ステップＳ４５：
次に、スイッチ制御部１２は、タイマー部１４のカウント動作を停止させ、カウント値を「０」にリセットし、処理をステップＳ１１へ進める。
【００７９】
上述した構成により、本実施形態による給電システムは、第１の実施形態と同様に、直流電源２が故障して、直流電源２の出力する容量の電源出力容量が低下し、負荷Ｌ１、Ｌ２及びＬ３に対して供給する合計負荷容量が、直流電源２の電源出力容量を超えた場合、どうしても停止させることのできない負荷のみに対して、バッテリ３から電力を供給させるため、従来に比較してより長い時間、バッテリ３で負荷を駆動することが可能となる。この場合、完全にスイッチ部で負荷に対する電力を遮断するため、負荷を駆動させない場合の待機電力も消費されず、給電システムはより省電力な構成となる。
【００８０】
また、本実施形態による給電システムは、バッテリ３の電力で動作させる必要が有る場合、同一の時間駆動させるために必要なバッテリ３の容量を、従来に比較して低減することが可能となり、給電システム全体のコストを低くすることができる。
さらに、本実施形態による給電システムは、仮想化あるいはクラウド化により、他の直流電源に接続されている同様の処理を行うサーバに処理を移行するために必要な時間、また停止までにバックアップに必要な時間、また停止までに必要な処理を行う時間など、負荷の停止までにかかる時間を、予め遮断時間として設定することにより、負荷の停止における特性に対応して遮断機能の運用を行うことができる。
【００８１】
＜第４の実施形態＞
以下、図面を参照して、本発明の第４の実施形態について説明する。第４の実施形態による給電システムの構成は、第２の実施形態の図５と同様である。
動作については、第２の実施形態と処理は同様であるが、第２の実施形態におけるスイッチ部の遮断の優先順位付けが、第４の実施形態においては、第３の実施形態と同様に、図７の遮断テーブルにより遮断の動作が決定してから、遮断されるまでの時間に変更されている。
【００８２】
また、電源監視部１１は、スイッチ制御部１２がスイッチ部を１個遮断する毎に、全負荷容量を再度算出し、この全負荷容量が電源出力容量を超えているか否かの判定を行い、この超えているか否かを示す制御情報を、スイッチ制御部１２へ出力する。
また、スイッチ制御部１２は、全負荷容量が電源出力容量を超えている制御情報が供給されると、スイッチ部を１個遮断し、次の全負荷容量が電源出力容量を超えている制御情報が供給されるまで、スイッチ部の遮断を行わない。
【００８３】
上述した構成により、本実施形態による給電システムは、第１の実施形態と同様に、直流電源２が故障して、直流電源２の出力する容量の電源出力容量が低下し、負荷Ｌ１、Ｌ２及びＬ３に対して供給する合計負荷容量が、直流電源２の電源出力容量を超えた場合、どうしても停止させることのできない負荷のみに対して、バッテリ３から電力を供給させるため、従来に比較してより長い時間、バッテリ３で負荷を駆動することが可能となる。この場合、完全にスイッチ部で負荷に対する電力を遮断するため、負荷を駆動させない場合の待機電力も消費されず、給電システムはより省電力な構成となる。
【００８４】
また、本実施形態による給電システムは、バッテリ３の電力で動作させる必要が有る場合、同一の時間駆動させるために必要なバッテリ３の容量を、従来に比較して低減することが可能となり、給電システム全体のコストを低くすることができる。
さらに、本実施形態による給電システムは、仮想化あるいはクラウド化により、他の直流電源に接続されている同様の処理を行うサーバに処理を移行するために必要な時間、また停止までにバックアップに必要な時間、また停止までに必要な処理を行う時間など、負荷の停止までにかかる時間を、予め遮断時間として設定することにより、負荷の停止における特性に対応して遮断機能の運用を行うことができる。
【００８５】
次に、図５及び図９を参照して、本実施形態における給電システムにおける負荷に対する電力遮断の動作を説明する。図９は第４の実施形態による給電システムにおける負荷に対する電力遮断の処理の動作例を示すフローチャートである。
ステップＳ１からステップＳ５まで、ステップＳ９及びステップＳ１０の処理は、第１の実施形態と同様のため、説明を省略する。また、ステップＳ５において、電源監視部１１は、合計負荷容量が電源出力容量を超えている場合、処理をステップＳ５１へ進め、一方、合計負荷容量が電源出力容量以下の場合、処理をステップＳ９へ進める。
【００８６】
ステップＳ５１：
次に、スイッチ制御部１２は、電源監視部１１から、負荷の合計負荷容量が直流電源２の電源出力容量を超えたことを示す制御信号が供給されると、タイマー部１４のカウント動作を開始する。
そして、スイッチ制御部１２は、タイマー部１４のカウント動作を開始した後、処理をステップＳ５２へ進める。
【００８７】
ステップＳ５２：
そして、スイッチ制御部１２は、記憶部１３に記憶されている遮断テーブルの参照を行う。すなわち、スイッチ制御部１２は、遮断フラグが「×」である遮断されていない最も遮断優先順位の高いスイッチ部を検出し、すなわち遮断フラグが「×」のスイッチ部の中から遮断時間が最も短いスイッチ部名（スイッチ識別情報、本実施形態においてはＳＷ１などの符号）とこのスイッチ部の遮断時間とを、遮断テーブルから読み込む。
スイッチ識別情報とその遮断時間を読み込んだ後、スイッチ制御部１２は、処理をステップＳ５３へ進める。
【００８８】
ステップＳ５３：
次に、スイッチ制御部１２は、遮断テーブルから読み込んだスイッチ部名のスイッチ部を、タイマー部１４のカウントする時間が遮断時間に一致した時点においてオフ状態とし（解列制御し）、負荷に対する電力の供給を遮断する。
そして、スイッチ制御部１２は、記憶部１３に記憶されている遮断テーブルにおいて、遮断したスイッチ部の遮断フラグを「×」から「○」に書き換える。
遮断時間として示される遮断有線順位に対応して、１個のスイッチ部をオフ状態とした後、スイッチ制御部１２は、処理をステップＳ５４へ進める。
【００８９】
ステップＳ５４：
次に、電源監視部１１は、記憶部１３の遮断テーブルから遮断フラグが「×」のスイッチ部と、遮断されない（遮断しては行けないと定義された）スイッチ部のスイッチ部名を読み出し、スイッチ部名に対応する負荷の負荷容量を求める。ここで、第２の実施形態と同様に、スイッチ部名と負荷との対応テーブルは、記憶部１３に記憶されているとする。また、この対応テーブルには、ステップＳ３で読み込んだ各負荷の電流値及び電圧値が、測定した負荷と対応して記憶されている。
この結果、電源監視部１１は、この記憶部１３に記憶されている対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算する。
そして、電源監視部１１は、遮断優先順位の順番に、１個ずつスイッチ部を遮断する毎に、その遮断した後の合計負荷容量を計算することになる。
次に、電源監視部１１は、直流電源２の電源出力容量と、スイッチ部を遮断した後の合計負荷容量とを比較し、電源出力容量を合計負荷容量が超えているか否かの判定を行う。
このとき、電源監視部１１は、合計負荷容量が電源出力容量を超えている場合、処理をステップＳ５５へ進め、合計負荷容量が電源出力容量以下の場合、処理をステップＳ５６へ進める。
【００９０】
ステップＳ５５：
次に、スイッチ制御部１２は、記憶部１３の遮断テーブルを参照し、遮断優先順位として遮断時間が付加されたスイッチ部において、遮断フラグが×であるスイッチ部の有無を検出し、遮断可能なスイッチ部が存在していないか（０か）否かの判定を行う。
そして、スイッチ制御部１２は、遮断フラグが×である遮断制御可能なスイッチ部が存在する場合、処理をステップＳ５２へ進め、一方、遮断制御可能なスイッチ部が存在しない場合、処理をステップＳ６０へ進める。
【００９１】
ステップＳ５６：
次に、スイッチ制御部１２は、タイマー部１４のカウント動作を、一旦停止させ、処理をステップＳ５７へ進める。
【００９２】
ステップＳ５７：
そして、電源監視部１１は、全負荷容量が電源出力容量以下であることを検出した後、自身の内部タイマーを初期化して、カウントを開始させる。
内部タイマーのカウントを開始後、電源監視部１１は、内部タイマーのカウントした計数値が、予め設定した設定値を超えたことを検出すると、処理をステップＳ５８へ進める。
【００９３】
ステップＳ５８：
次に、電源監視部１１は、直流電源２から稼動情報を読み込み、読み込んだ稼動情報から整流器ユニットの稼働数を抽出する。
そして、電源監視部１１は、この抽出した稼働数と、内部記憶部に記憶されている整流器ユニット数とを比較して、直流電源２が復旧したか否かの判定を行う。
このとき、電源監視部１１は、抽出した稼働数と内部記憶部に記憶されている整流器ユニット数とが一致している場合、直流電源２の故障が復旧したとして、処理をステップＳ６１へ進める。
一方、電源監視部１１は、抽出した稼働数と内部記憶部に記憶されている整流器ユニット数とが一致しない場合、直流電源２の故障が復旧していないとして、処理をステップＳ５９へ進める。
【００９４】
ステップＳ５９：
次に、電源監視部１１は、記憶部１３の遮断テーブルから遮断フラグが「×」のスイッチ部と、遮断されないスイッチ部のスイッチ部名を読み出し、スイッチ部名に対応する負荷の負荷容量を求める。ここで、電源監視部１１は、記憶部１３の対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算して、各負荷の負荷容量を求める。
そして、電源監視部１１は、遮断フラグが「×」のスイッチ部に対応する負荷と、遮断されないスイッチ部に対応する負荷との負荷容量を加算し、合計負荷容量を計算する。
また、電源監視部１１は、抽出した稼働数と整流器ユニット容量とを乗算し、現在の電源出力容量を算出する。
次に、電源監視部１１は、直流電源２の現在の電源出力容量と、スイッチ部を遮断した後の合計負荷容量とを比較し、電源出力容量を合計負荷容量が超えているか否かの判定を行う。
このとき、電源監視部１１は、合計負荷容量が電源出力容量を超えている場合、処理をステップＳ６８へ進め、合計負荷容量が電源出力容量以下の場合、処理をステップＳ５６へ進める。
【００９５】
ステップＳ６０：
次に、電源監視部１１は、直流電源２から稼動情報を読み込み、読み込んだ稼動情報から整流器ユニットの稼働数を抽出する。
そして、電源監視部１１は、この抽出した稼働数と、内部記憶部に記憶されている整流器ユニット数とを比較して、直流電源２が復旧したか否かの判定を行う。
このとき、電源監視部１１は、抽出した稼働数と内部記憶部に記憶されている整流器ユニット数とが一致している場合、直流電源２の故障が復旧したとして、処理をステップＳ６１へ進める。
一方、電源監視部１１は、抽出した稼働数と内部記憶部に記憶されている整流器ユニット数とが一致しない場合、直流電源２の故障が復旧していないとして、処理をステップＳ６０へ進める（ステップＳ６０の処理を繰り返す）。
【００９６】
ステップＳ６１：
次に、スイッチ制御部１２は、タイマー部１４のカウント動作を停止させ、カウント値を「０」にリセットし、処理をステップＳ６２へ進める。
【００９７】
ステップＳ６２：
次に、電源監視部１１は、抽出した稼働数と整流器ユニット容量とを乗算し、現在の電源出力容量、すなわち復旧した直流電源２の電源出力容量を算出し、処理をステップＳ６３へ進める。
【００９８】
ステップＳ６３：
次に、スイッチ制御部１２は、記憶部１３に記憶されている遮断テーブル（図７）から、最も遮断優先順位の低い、すなわち遮断フラグに「○」が付加されているスイッチ部の中から、最も遮断時間の長いスイッチ部名を読み出し、処理をステップＳ６４へ進める。
【００９９】
ステップＳ６４：
次に、スイッチ制御部１２は、遮断テーブルから読み込んだスイッチ部名に対応するスイッチ部をオン状態とし（投入制御し）、負荷に対する電力の供給を再開する。
そして、スイッチ制御部１２は、記憶部１３の遮断テーブルにおいて、オン状態としたスイッチ部のスイッチ部名の遮断フラグを「○」から「×」に変更する。
遮断有線順位の逆の順番に対応して、１個のスイッチ部をオン状態とした後、スイッチ制御部１２は、処理をステップＳ６５へ進める。
【０１００】
ステップＳ６５：
次に、電源監視部１１は、記憶部１３の遮断テーブルから遮断フラグが「×」のスイッチ部と、遮断されないスイッチ部のスイッチ部名を読み出し、スイッチ部名に対応する負荷の負荷容量を求める。ここで、電源監視部１１は、記憶部１３の対応テーブルから、遮断フラグが「×」のスイッチ部と、遮断されないスイッチ部とのスイッチ部名に対応する負荷毎の電流値と電圧値との組を読み出し、それぞれの組の電流値と電圧値とを乗算して、各負荷の負荷容量を求める。
そして、電源監視部１１は、遮断フラグが「×」のスイッチ部に対応する負荷と、遮断されないスイッチ部に対応する負荷との負荷容量を加算し、合計負荷容量を計算する。
次に、電源監視部１１は、直流電源２の現在の電源出力容量と、スイッチ部を投入した後の合計負荷容量とを比較し、電源出力容量を合計負荷容量が超えているか否かの判定を行う。
このとき、電源監視部１１は、合計負荷容量が電源出力容量を超えている場合、処理をステップＳ６７へ進め、合計負荷容量が電源出力容量以下の場合、処理をステップＳ６６へ進める。
【０１０１】
ステップＳ６６：
次に、スイッチ制御部１２は、記憶部１３の遮断テーブルを参照し、遮断優先順位として遮断時間が付加されたスイッチ部において、遮断フラグが×であるスイッチ部の有無を検出し、遮断可能なスイッチ部が存在していないか（０か）否かの判定を行う。
そして、スイッチ制御部１２は、遮断フラグが×である遮断制御可能なスイッチ部が存在する場合、処理をステップＳ６３へ進め、一方、遮断制御可能なスイッチ部が存在しない場合、処理をステップＳ１へ進める。
【０１０２】
ステップＳ６７：
次に、スイッチ制御部１２は、電源監視部１１から、負荷の合計負荷容量が直流電源２の電源出力容量を超えたことを示す制御信号が供給されると、タイマー部１４のカウント動作を開始する。
そして、スイッチ制御部１２は、タイマー部１４のカウント動作を開始した後、処理をステップＳ５２へ進める。
【０１０３】
ステップＳ６８：
次に、スイッチ制御部１２は、電源監視部１１から、負荷の合計負荷容量が直流電源２の電源出力容量を超えたことを示す制御信号が供給されると、一旦停止していたタイマー部１４のカウント動作を再開する（再びカウント動作を行わせる）。
そして、スイッチ制御部１２は、タイマー部１４のカウント動作を再開した後、処理をステップＳ５５へ進める。
【０１０４】
＜第５の実施形態＞
以下、図面を参照して、本発明の第５の実施形態について説明する。第５の実施形態による給電システムの構成は、第１の実施形態の図１と同様である。
以下、第５の実施形態による給電システムについて、第１の実施形態と異なる点についてのみ説明する。
動作については、第１の実施形態と処理は同様であるが、第１の実施形態におけるスイッチ部の遮断の優先順位付けが、第３の実施形態においては、各負荷の電力入力端子の電圧値の大きさに変更されている。
【０１０５】
このため、記憶部１３に記憶されている遮断テーブルは、図１０に示す構成となっている。この図１０は、スイッチ部ＳＷ１、ＳＷ２及びＳＷ３の遮断処理における遮断が実行される遮断電圧値（負荷の電力入力端子の電圧値）と、スイッチ部ＳＷ１、ＳＷ２及びＳＷ３が遮断されているか否かを示す遮断フラグから構成されている遮断テーブルを示す図である。例えば、スイッチ部ＳＷ１は、遮断が決定されてから電力入力端子の電圧値が３００Ｖ以下となるとオフ状態とされ、負荷Ｌ１に対する電力の供給を遮断する。また、スイッチ部ＳＷ２は、遮断が決定されてから電力入力端子の電圧値が２８０Ｖ以下となるとオフ状態とされ、負荷Ｌ２に対する電力の供給を遮断する。また、スイッチＳＷ３は、電力の供給を遮断してはいけない負荷Ｌ３に接続されているため、常時オン状態とするように定義されている。本実施形態においては、この遮断電圧値が大きい方が遮断処理を行う遮断優先順位が高いとして、スイッチ部のスイッチ番号＃Ｎ（ＳＷ１、ＳＷ２、ＳＷ３の順番）に対応している。
【０１０６】
スイッチ制御部１２は、電源監視部１１から、負荷Ｌ１、Ｌ２及びＬ３の合計負荷容量が、直流電源２の電源出力容量を超えたこと（直流電源２が故障したこと）を示す制御信号が供給されると、記憶部１３の遮断テーブル（図１０）を参照して、スイッチ部の番号順（ＳＷ１、ＳＷ２、ＳＷ３の順番）に、スイッチ部名と、遮断電圧値を順次読み込む。
そして、スイッチ制御部１２は、このスイッチ部名のスイッチ部の電圧値を読み込み、この読み込んだ電圧値が、遮断テーブルから読み込んだ遮断電圧値以下である場合に、このスイッチ部名のスイッチ部をオフ状態とする。
また、スイッチ制御部１２は、電源監視部１１から、直流電源２の故障が復旧したことを示す制御信号が供給されると、遮断優先順位の低いスイッチ部、すなわち遮断電圧値が低いスイッチ部から順番（オフ状態としだ順番と逆の順番）に、順次スイッチ部をオン状態とする。
【０１０７】
次に、図１及び図１１を参照して、本実施形態における給電システムにおける負荷に対する電力遮断の動作を説明する。図１１は第５の実施形態における給電システムにおける負荷に対する電力遮断の処理の動作例を示すフローチャートである。
ステップＳ１０１：
電源監視部１１は、直流電源２から供給される稼動情報から整流器ユニットの稼働数を抽出し、抽出した稼働数と、予め内部の記憶部に設定されている整流器ユニット数とを比較し、直流電源２が故障（商用交流電源１００の故障も含む）したか否かの判定を行う。
すなわち、電源監視部１１は、稼働数が整流器ユニット数未満である場合、直流電源２が故障していると判定して処理をステップＳ１０２へ進め、一方、稼働数と整流器ユニット数とが一致している場合、処理をステップＳ１０１へ進める（ステップＳ１０１の処理を繰り返す）。
【０１０８】
ステップＳ１０２：
スイッチ制御部１２は、内部レジスタのスイッチ番号＃Ｎ（ＳＷ１、ＳＷ２、ＳＷ３の順番を示す番号、ＳＷ１が順番１、ＳＷ２が順番２、ＳＷが順番３）の初期化、すなわち＃Ｎを１とし、処理をステップＳ１０３へ進める。
【０１０９】
ステップＳ１０３：
そして、電源監視部１１は、スイッチ番号＃Ｎのスイッチ部から、このスイッチ部に接続された負荷の電力入力端子の電圧値Ｖを読み込み、処理をステップＳ１０４へ進める。
【０１１０】
ステップＳ１０４：
そして、スイッチ制御部１２は、合計負荷容量が電源出力容量を超えたことを示す制御信号が電源監視部１１から供給されると、記憶部１３に記憶されている遮断テーブルの参照を行う。すなわち、スイッチ制御部１２は、遮断テーブルから、スイッチ番号＃Ｎのスイッチ部名と、このスイッチ部の遮断電圧値とを読み込む。
スイッチ番号＃Ｎのスイッチ部名と、このスイッチ部の遮断電圧値とを読み込んだ後、スイッチ制御部１２は、処理をステップＳ１０５へ進める。
【０１１１】
ステップＳ１０５：
次に、スイッチ制御部１２は、スイッチ番号＃Ｎのスイッチ部から読み込んだ電圧値Ｖと、遮断テーブルから読み込んだスイッチ番号＃Ｎの遮断電圧値（設定値）との比較を行い、電圧値Ｖが遮断電圧以下であるか否かの判定を行う。
このとき、スイッチ制御部１２は、電圧値Ｖが遮断電圧値以下である場合、処理をステップＳ１０６へ進め、一方、電圧値Ｖが遮断電圧値を超えている場合、処理をステップＳ１１１へ進める。
【０１１２】
ステップＳ１０６：
次に、スイッチ制御部１２は、スイッチ番号＃Ｎのスイッチ部をオフ状態とし、番号＃Ｎの負荷の解列制御（遮断制御）を行う。
そして、スイッチ制御部１２は、記憶部１３の遮断テーブルにおいて、スイッチ番号＃Ｎの遮断フラグを「×」から「○」に書き換え、処理をステップＳ１０７へ進める。
【０１１３】
ステップＳ１０７：
次に、スイッチ制御部１２は、内部レジスタのスイッチ番号＃Ｎの数値をインクリメント、すなわち数値に１を加算して新たなスイッチ番号＃Ｎの数値とし、処理をステップＳ１０８へ進める。
【０１１４】
ステップＳ１０８：
次に、スイッチ制御部１２は、現在のスイッチ番号＃Ｎと、遮断しても良いとして優先順位番号が付加されている負荷の数とを比較し、遮断しても良いとされた負荷全てのスイッチ部のスイッチ制御の処理を行ったか否かの判定を行う。
このとき、スイッチ制御部１２は、現在のスイッチ番号＃Ｎが遮断しても良い負荷の数を超えている場合、遮断しても良いとされている負荷全てのスイッチ部に対するスイッチ制御の処理が完了しているため、処理をステップＳ１０９へ進める。
一方、スイッチ制御部１２は、現在の優先順位番号＃Ｎが遮断しても良い負荷の数以下の場合、遮断しても良いとされている負荷全てのスイッチ部に対するスイッチ制御の処理が完了していないため、処理をステップＳ１０３へ進める。
【０１１５】
ステップＳ１０９：
次に、スイッチ制御部１２は、内部レジスタの優先順位番号＃Ｎの初期化、すなわち＃Ｎを１とし、処理をステップＳ１１０へ進める。
【０１１６】
ステップＳ１１０：
次に、スイッチ制御部１２は、記憶部１３の遮断テーブルを参照し、遮断優先順位として遮断電圧値が付加されたスイッチ部において、遮断フラグが×であるスイッチ部の有無を検出し、遮断可能なスイッチ部が存在していないか（０か）否かの判定を行う。
そして、スイッチ制御部１２は、遮断フラグが×である遮断制御可能なスイッチ部が存在する場合、処理をステップＳ１０３へ進め、一方、遮断制御可能なスイッチ部が存在しない場合、処理をステップＳ１１２へ進める。
【０１１７】
ステップＳ１１１：
次に、スイッチ制御部１２は、スイッチ番号＃Ｎのスイッチ部がオン状態の場合、現状維持でそのままオン状態とし、一方、スイッチ番号＃Ｎのスイッチ部がオフ状態の場合、このスイッチ番号＃Ｎのスイッチ部をオン状態とする。
ここで、スイッチ制御部１２は、スイッチ部をオフ状態からオン状態に変更した場合、記憶部１３における遮断テーブルにおいて、スイッチ番号＃Ｎの遮断フラグを、「○」から「×」に書き換える。
そして、スイッチ制御部１２は、処理をステップＳ１０７へ進める。
【０１１８】
ステップＳ１１２：
次に、電源監視部１１は、直流電源２から稼動情報を読み込み、読み込んだ稼動情報から整流器ユニットの稼働数を抽出する。
そして、電源監視部１１は、この抽出した稼働数と、内部記憶部に記憶されている整流器ユニット数とを比較して、直流電源２が復旧したか否かの判定を行う。
このとき、電源監視部１１は、抽出した稼働数と内部記憶部に記憶されている整流器ユニット数とが一致している場合、直流電源２の故障が復旧したとして、処理をステップＳ１１３へ進める。
一方、電源監視部１１は、抽出した稼働数と内部記憶部に記憶されている整流器ユニット数とが一致しない場合、直流電源２の故障が復旧していないとして、処理をステップＳ１１２へ進める（ステップＳ１１２の処理を繰り返す）。
【０１１９】
ステップＳ１１３：
次に、スイッチ制御部１２は、内部レジスタのスイッチ番号＃Ｎの初期化、すなわち＃Ｎを１とし、処理をステップＳ１１４へ進める。
【０１２０】
ステップＳ１１４：
そして、電源監視部１１は、スイッチ番号＃Ｎのスイッチ部から、このスイッチ部に接続された負荷の電力入力端子の電圧値Ｖを読み込み、処理をステップＳ１１５へ進める。
【０１２１】
ステップＳ１１５：
そして、スイッチ制御部１２は、合計負荷容量が電源出力容量を超えたことを示す制御信号が電源監視部１１から供給されると、記憶部１３に記憶されている遮断テーブルの参照を行う。すなわち、スイッチ制御部１２は、遮断テーブルから、スイッチ番号＃Ｎのスイッチ部名と、このスイッチ部の遮断電圧値とを読み込む。
スイッチ番号＃Ｎのスイッチ部名と、このスイッチ部の遮断電圧値とを読み込んだ後、スイッチ制御部１２は、処理をステップＳ１１６へ進める。
【０１２２】
ステップＳ１１６：
次に、スイッチ制御部１２は、スイッチ番号＃Ｎのスイッチ部から読み込んだ電圧値Ｖと、遮断テーブルから読み込んだスイッチ番号＃Ｎの遮断電圧値との比較を行い、電圧値Ｖが遮断電圧以下であるか否かの判定を行う。
このとき、スイッチ制御部１２は、電圧値Ｖが遮断電圧値以下である場合、処理をステップＳ１１７へ進め、一方、電圧値Ｖが遮断電圧値を超えている場合、処理をステップＳ１２２へ進める。
【０１２３】
ステップＳ１１７：
次に、スイッチ制御部１２は、スイッチ番号＃Ｎのスイッチ部がオフ状態の場合、現状維持でそのままオフ状態とし、一方、スイッチ番号＃Ｎのスイッチ部がオン状態の場合、このスイッチ番号＃Ｎのスイッチ部をオフ状態とする。
ここで、スイッチ制御部１２は、スイッチ部をオフ状態からオフ状態に変更した場合、記憶部１３における遮断テーブルにおいて、スイッチ番号＃Ｎの遮断フラグを、「×」から「○」に書き換える。
そして、スイッチ制御部１２は、処理をステップＳ１１８へ進める。
【０１２４】
ステップＳ１１８：
次に、スイッチ制御部１２は、内部レジスタのスイッチ番号＃Ｎの数値をインクリメント、すなわち数値に１を加算して新たなスイッチ番号＃Ｎの数値とし、処理をステップＳ１０９へ進める。
【０１２５】
ステップＳ１１９：
次に、スイッチ制御部１２は、現在のスイッチ番号＃Ｎと、遮断しても良いとして優先順位番号が付加されている負荷の数とを比較し、遮断しても良いとされた負荷全てのスイッチ部に対してスイッチ制御の処理をしたか否かの判定を行う。
このとき、スイッチ制御部１２は、現在のスイッチ番号＃Ｎが遮断しても良い負荷の数を超えている場合、遮断しても良いとされている負荷全てのスイッチ部に対するスイッチ制御の処理が完了しているため、処理をステップＳ１２０へ進める。
一方、スイッチ制御部１２は、現在の優先順位番号＃Ｎが遮断しても良い負荷の数以下の場合、遮断しても良いとされている負荷全てのスイッチ部に対するスイッチ制御の処理が完了していないため、処理をステップＳ１１４へ進める。
【０１２６】
ステップＳ１２０：
次に、スイッチ制御部１２は、内部レジスタの優先順位番号＃Ｎの初期化、すなわち＃Ｎを１とし、処理をステップＳ１２１へ進める。
【０１２７】
ステップＳ１２１：
次に、スイッチ制御部１２は、記憶部１３の遮断テーブルを参照し、遮断優先順位として遮断電圧値が付加されたスイッチ部において、遮断フラグが「○」であるスイッチ部の有無を検出し、投入制御可能なスイッチ部が存在していないか（０か）否かの判定を行う。
そして、スイッチ制御部１２は、遮断フラグが「○」である投入制御可能なスイッチ部が存在する場合、処理をステップＳ１１３へ進め、一方、投入制御可能なスイッチ部が存在しない場合、処理をステップＳ１０１へ進める。
【０１２８】
ステップＳ１２２：
次に、スイッチ制御部１２は、スイッチ番号＃Ｎのスイッチ部がオフ状態の場合、このスイッチ番号＃Ｎのスイッチ部をオン状態とする。
ここで、スイッチ制御部１２は、スイッチ部をオフ状態からオン状態に変更すると、記憶部１３における遮断テーブルにおいて、スイッチ番号＃Ｎの遮断フラグを、「○」から「×」に書き換える。
そして、スイッチ制御部１２は、処理をステップＳ１１８へ進める。
【０１２９】
上述した構成により、本実施形態による給電システムは、第１の実施形態と同様に、直流電源２が故障して、直流電源２の出力する容量の電源出力容量が低下し、負荷Ｌ１、Ｌ２及びＬ３に対して供給する合計負荷容量が、直流電源２の電源出力容量を超えた場合、どうしても停止させることのできない負荷のみに対して、バッテリ３から電力を供給させることができる。このため、本実施形態においては、従来の構成に比較してより長い時間、バッテリ３で負荷を駆動することが可能となる。また、本実施形態の場合、完全にスイッチ部で負荷に対する電力を遮断することになるため、負荷を駆動させない場合の待機電力も消費されず、給電システムはより省電力を実現することができる。
【０１３０】
また、本実施形態による給電システムは、バッテリ３の電力で動作させる必要が有る場合、同一の時間駆動させるために必要なバッテリ３の容量を、従来に比較して低減することが可能となり、給電システム全体のコストを低くすることができる。
さらに、本実施形態による給電システムは、遮断優先順位が高い負荷に接続されているスイッチ部を早くオフ状態とするため、電源出力電力を供給する電圧値をそれぞれ遮断優先順位の順番に高く設定し、すなわち優先順位の高い負荷ほど、電源出力電力を供給する電圧値が高く設定されている。このため、本実施形態による給電システムは、遮断優先順位の高い負荷への電力の供給を遮断することで、電源出力電力を供給する電圧値が上昇するため、遮断する必要のない負荷への電力の遮断が行われることは無くなり、設定する遮断電圧値を任意に変えることにより、負荷の停止における特性に対応して遮断機能の運用を行うことができる。
【０１３１】
また、図１における負荷遮断制御部の機能を実現するためのプログラムをコンピュータ読み取り可能な記録媒体に記録して、この記録媒体に記録されたプログラムをコンピュータシステムに読み込ませ、実行することにより給電システムにおける負荷への電力供給の管理を行ってもよい。なお、ここでいう「コンピュータシステム」とは、ＯＳや周辺機器等のハードウェアを含むものとする。
【０１３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３３】
以上、この発明の実施形態を図面を参照して詳述してきたが、具体的な構成はこの実施形態に限られるものではなく、この発明の要旨を逸脱しない範囲の設計等も含まれる。
【符号の説明】
【０１３４】
１…負荷遮断制御部
２…直流電源
３…バッテリ
１１…電源監視部
１２…スイッチ制御部
１３…記憶部
１４…タイマー部
２０…制御部２０
２＿１，２＿２，２−ｎ…整流器ユニット
１００…商用交流電源
Ｄ１、Ｄ２，ＤＮ…ダイオード
Ｌ１，Ｌ２，Ｌ３…負荷
Ｓ１，Ｓ２，Ｓ３…配線
ＳＷ１，ＳＷ２，ＳＷ３…スイッチ部
【図１】
0005860640.tif 000002
【図２】
0005860640.tif 000003
【図３】
0005860640.tif 000004
【図４】
0005860640.tif 000005
【図５】
0005860640.tif 000006
【図６】
0005860640.tif 000007
【図７】
0005860640.tif 000008
【図８】
0005860640.tif 000009
【図９】
0005860640.tif 000010
【図１０】
0005860640.tif 000011
【図１１】
0005860640.tif 000012
【図１２】
0005860640.tif 000013